(57)【要約】本発明はケーブルの供給および生産する方法に関する。ケーブルが、オーディオ、ビデオ、データ、電気供給および他の使用の生成のために適合され及び使用され、ケーブルに沿って走る少なくとも2つの導線セットからなる。各々の導線セットは、周知のねじれの角度または比率でお互いに巻かれる少なくとも2つの導線を含む。導線セットはケーブルに沿って走る際に離れて置かれ、そして、実施例のように、導線セットの間隔を保持するためにケーブルに沿って細長い構成部材を供給することによってなしとげられる。要求され、セット間の間隔を参照する場合、各々のセットの導線のねじれまたは巻きの角度また比率は、セット間で変化させることができる。本発明のケーブルは、従来の有効なケーブルに比較して大幅に改善された。
2005519432.tif 000002
【特許請求の範囲】
【請求項１】
お互いにねじられ巻かれた少なくとも二つの導線を含んでいる、同一物に沿って走るために備えられた少なくとも２つの導線セットを有するケーブルにおいて、
それらが前記ケーブルに沿って走る場合、前記少なくとも２つの導線セットは物理的に少なくとも１mmの距離を保った間隔で離れていることを特徴とするケーブル。
【請求項２】
導線セットを所望の距離で間隔を空けて保つ細長い部材を含む、請求項１に記載のケーブル。
【請求項３】
導線セットが１mm以上の距離で間隔を置かれる請求項１に記載のケーブル。
【請求項４】
導線セットのうちの少なくとも１つが細長い部材の外側に巻かれるまたはねじられる請求項２に記載のケーブル。
【請求項５】
通路を有する細長い部材を含み、前記通路内には第１の導線セットを納め、第２の導線セットを前記部材の外側に沿って走るように配置させた請求項１に記載のケーブル。
【請求項６】
第２の導線セットが細長い部材に巻きつけらている請求項５に記載のケーブル。
【請求項７】
第２の導線セットが第１の導線セットより高い固有抵抗を持ち、そして、それぞれの導線セット間のねじれの程度が異なる請求項６に記載のケーブル。
【請求項８】
前記通路が第１の導線セットをその中で位置決める設定点を備えている請求項５に記載のケーブル。
【請求項９】
少なくとも１つの導線セット中の導線のねじれまたは巻きの程度が、他の導線セットの中の導線のそれと異なる請求項１に記載のケーブル。
【請求項１０】
各導線セットの導線のねじれまたは巻きの程度は他の導線セットのそれと異なり、そして、その違いは、隣り合う導線セット間の相互の間隔に応じて決まる請求項９に記載のケーブル。
【請求項１１】
２地点間のデータ転送用ケーブルにおいて、ケーブルは少なくとも２つの導線セットに選択的にまとめられる一連の導線から成り、その各々の導線セットは、お互いにねじられるかまたは巻かれた少なくとも２つの導線を持ち、各導線セットは細長い部材によって隔てられており、前記導線セットがケーブルに沿ってまっすぐに走るように配置されていることから成るデータケーブル。
【請求項１２】
前記少なくとも二つの導線セットが寝かされずにケーブルに沿って走るために配置される請求項１１に記載のケーブル。
【請求項１３】
少なくとも一つの導線セットが、細長い部材に沿って走るように、その部材の中に納められており、一つ以上の導線セットが、細長い構成部材の外側面に配置される請求項１１に記載のケーブル。
【請求項１４】
４個の導線セットから成り、各々のセットはねじられるかまたは巻かれた少なくとも２つの導線から成り、各々のセットは最小１mmの間隔で離れていることを特徴とする請求項１１に記載のケーブル。
【請求項１５】
ケーブル横断面は実質的に円形であり、導線セットは実質的に隣接のセットの間で９０度離れていることを特徴とする請求項１４に記載のケーブル。
【請求項１６】
各導線は、絶縁体およびケーブルによって他から絶縁され、絶縁体の外部ハウジング含む請求項１１〜１５のいずれか記載のケーブル。
【請求項１７】
前記ケーブルは細長い部材を含み、前記部材はその上にまたは、その中に位置し、複数の導線セット、前記導線セットは隣接する導線セットと最小１mmの間隔にて配置され、細長い部材に沿ってもしくは中で間隔を置いて配置されている、請求項１１に記載のケーブル。
【請求項１８】
細長い部材は管状であり、導線セットは管壁の内側または外側のいずれか又はその上に、そして／またはそれ自身の壁の中に置かれる請求項１７に記載のケーブル。
【請求項１９】
導線セットが相互におよび／または細長い部材に巻きつけられる請求項１７に記載のケーブル。
【請求項２０】
各導線セットの縦軸が細長い構成部材の縦軸と実質的に平行して走る請求項１７に記載のケーブル。
【請求項２１】
各導線セットの導線のねじれまたは巻きの程度が他の導線セットのそれとは異なっている請求項１７に記載のケーブル。
【請求項２２】
それぞれの導線セット間の間隔が減少する場合、ねじれまたは巻きの違いが増加する請求項２１に記載のケーブル。
【請求項２３】
各ねじられた導線のセットが、ケーブルに沿って転送されるデータの伝達遅れ時間を最小にするよう同じ密度である請求項１７に記載のケーブル。
【請求項２４】
少なくとも一つの導線セットが、ケーブルの縦軸と実質的に並列に細長い部材通路に沿って伸びている請求項１７に記載のケーブル。
【請求項２５】
各導線セットがケーブルの縦軸と並列に真っ直ぐ走っている請求項２４に記載のケーブル。
【請求項２６】
1つ以上の導線セットが、実質的につる巻状の通路の中の細長い部材に巻きつけられている請求項１７に記載のケーブル。
【請求項２７】
細長い部材内の通路がそれに沿って、サービスを運ぶ請求項１７に記載のケーブル。
【請求項２８】
ソケット内の所定位置に配置した本体と、前記プラグが、間隔を置いた複数の導線セット連結のための受口手段とを有し、前記受口手段はプラグ本体の上に離して置かれていることから成る、上記の請求項に記載されている種類のケーブル用プラグ。
【請求項２９】
導線セット受口手段間の間隔は、少なくとも１mmであり、プラグ本体が円形断面であれば、導線セット受口手段の数だけ３６０°を分割した配置となっている請求項２８に記載のプラグ。
【請求項３３】
導線セットのための受口手段は、接続することで導線セットからプラグが挿入されたソケットの中の金属接点まで信号を伝達させるための、金属接点に接続される請求項28に記載のプラグ。
【請求項３４】
プラグ本体横断面が実質的に円形である請求項２８に記載のプラグ。
【請求項３６】
プラグ本体が実質的に平らな形状である請求項２８に記載のプラグ。
【請求項３７】
プラグの受入れのための孔を有し、間隔を置いた複数の導線セットを連結するための受口手段を有し、前記受口手段はソケット孔で離されている事から成る、上記の請求項に記載されているタイプのケーブルで使用されるソケット。
【請求項３８】
導線セット受口手段は３６０°を導線セットの数で割った角度だけ離して配置されている請求項３７に記載のソケット。
【請求項３９】
導線セットの受口手段は接続することで、導線セットからソケット孔に挿入されたプラグの金属接点への信号の伝達を可能とする金属接点に接続している請求項３７に記載のソケット。
【請求項４０】
ソケット孔の横断面が実質的に円形である請求項３７に記載のソケット。
【請求項４１】
ソケット孔が実質的に平らな溝である請求項３７に記載のソケット。
【請求項４２】
導線セットを形成するため相互にねじられ、巻かれた少なくとも２つの導線を含む一連の導線セットを含むケーブルの形成方法において、
各セットのねじれ／巻きの比率を他のセットのねじれ比と比較し、更に、それらがケーブルに沿って走る場合、導線セット間に間隔を必要とし、前記ねじれ／巻き比率間の比較に基づいて、各導線セットの導線ねじれ／巻き上げの程度をケーブルの性能向上のために必要に応じて、導線セット間で変えることからなるケーブル形成法。
【請求項４３】
ねじれ/巻きの程度の違いが、間隔を置いて配置した隣接導線セットに沿って、漸次増加する請求項４２による方法。
【請求項４４】
導線セット間の必要間隔が減少するに伴って、ねじれ/巻きの程度の違いのレベルが増加する請求項４３による方法。
【発明の詳細な説明】
【技術分野】
【０００１】
本出願の主題である本発明は、２つ以上の位置間の交流、直流、アナログ、デジタルフォーマット中のデータ伝達、ビデオ、オーディオ、電力、補助機器データや実際、いかなる通信データのような電力または信号を運ぶために使われる種類のケーブルの供給に関するものである。
【背景技術】
【０００２】
現在、従来のケーブル（それは、電気構成部品間の信号を伝達し、同じ物への供給を提供するために用いる）は伝達線として働くように配列された、一つあるいは多数の導線よりなる代表的な設計の中にいくつかの欠点を持っている。その配列はケーブルを信号のゆがみに受けやすくさせ、それらの信号が通過するときにケーブルに沿って運ばれる信号を劣化させ、それゆえに信号は相互干渉を強め、他の劣化は明らかである。
【発明の開示】
【発明が解決しようとする課題】
【０００３】
固体の導線を利用する従来のケーブルについては、若干の信号劣化は「表皮効果」として知られている物理的な定数によって生じることがありえる。ここに述べられた「表皮効果」は、従来技術図Ａにて示したように、導線の表面から離れた距離で導線に沿って通過している電流密度を減らす様に動作している。これは、導線の表面に向かって混む傾向に電流を導いて行き、導線の「使用できる」横断面を実質的に減らし、抵抗を増加させ、それゆえに、ケーブルの全体的な効果を低下させる原因になっている。より高い電流のケーブルにおいて、例えば、そこを通り抜けるより高い電流を適応させる>0.8mm 18 Am Wire Gaugeのように導線の横断面積は、比較的大きくなる傾向がある。横断面積の増加は、表皮効果に比例し、信号劣化の重大な要素につながる。
【０００４】
従来の撚り線については、撚り線が絶縁されず、全体的な横断面を有する単一の導線を与えるために効果的に一緒に束になり、従来技術図Ａで示される固体のコア導線に関して記載された上記の問題が生じるために十分大きい場合、表皮効果問題はまだ適応される。
【０００５】
いくつかの導線がケーブルを形成する場合、他の大きな問題は起こり、それは磁気の相互干渉のうちの１つである。電流が導線に通されるときに、磁界がそれの周りに作られ、そして、この問題がケーブル設計に扱われていない場合、従来技術図Ｂのように導線セット間の送信データと雑音のエラーという意味での精度、効率、質という劣悪な結果が生じることが知られている。
【０００６】
さらに、２つ以上の導線がケーブルの中で平行に走っている場合、各々はその周りに立ち上がった磁場を持ち、この磁場は他の導線に沿って通過しているデータ／信号を効果的に妨害し、そしてその逆も真であり、それ以上の導線や電流が増えた場合、この問題はさらに増大する。
この問題は、ケーブルの長さ方向に沿い信号の衝突を起こさせ、そして、特に、異なっている値の電流が存在するオーディオまたはビデオの中で大きくなる。より高い電流信号は、大きい磁場を形成し、それはより小さい電流とより小さい磁場の信号を傷つけ、もともとの信号をひずませ変更させる。
【０００７】
他の問題は、一連の導線から成る従来のケーブルがそれに沿って運ばれる信号に劣化を生じさせ易いということである。これらの変化は、導線間の磁場の相互干渉によって生じる。これらの変化は、その受電側の端において信号を最適以下にさせる原因になる。
音楽上のタイミング(musical timing)は、実行時の全体にわたって同時であるか、散発的な時間に起こっている異なる波長のために、不十分に設計されたオーディオ/ビデオ用ケーブルにおいて、考慮する要素である。電流が電源から引き出される時に、この影響も本体に伝達する。
【０００８】
つまり、オーディオのような作られる音声は曖昧であり、および／または、生じる音声限界のより高いか、より低い限界は最適条件に再現されない。
【０００９】
一般的に、導線の束が大きいほど、問題が大きくなる。一般的に、信号劣化を減らすために、導線の量を小さくしておかれなければならないと考えられ、したがって、多くの従来のケーブルは電磁誘導を最小にするために導線の束の大きさを最小にしようとする。さらに、ケーブルの内部のより線の移動は、ケーブルに沿い、他の地点より大きいひずみをケーブル内で起こす事になる。
【００１０】
この問題を減らそうとするために用いる技術は、分類６や７のような、細長い部材に従った導線セットを供給し、そして、４つのツイストペアのセットを離すために用いて、ケーブルの内側に位置し、
それに沿って通過する時に、ケーブルに沿って各々の導線セットの通路を導き、ねじられている。
このねじれ、又は「寝かせ(lay)」は、達成が困難で、ケーブルの特定の長さでの必要とされる導線の長さを延ばし、したがって、ケーブルの費用を増加する。
間隔の原理を使用することによって、この全体の応用例にわたり概説されるように、空気か他のものによる導線は、ケーブルの最小横断面が要求されれば、上述した過程を不必要にさせる。
【００１１】
ケーブルに使用する材料の質および／または純度はケーブルの性能が増す事によるその他の方法として見なされる。
【００１２】
本発明の目的は、以前に起こった問題を解決するための形状および方法のケーブルの配置を与える事であり、更に、最も有効な方法で利用される導線ソケットを供給することである。
【課題を解決するための手段】
【００１３】
本発明の第１の態様において、同一物に沿って走る少なくとも2つの導線セットを有するケーブルを備え、各々の導線セットは、お互いに、ねじれるかまたは巻きついた少なくとも２つの導線を含んでおり、それらがそのケーブルに沿って走る時に、少なくとも2つの導線セットは物理的に少なくとも１mmの距離によって、間隔を置かれる。
【００１４】
一つの実施例において、ケーブルは導線セットに必要距離をとって置かせる細長い部材を含んでいる。導線セットは、２mm以上離して置かれる事が望ましい。
【００１５】
一つの実施例において、導線セットのうちの少なくとも1つは、それがそこに沿って通過する時に、細長い部材の外側に、巻きつけられる。細長い部材は、管または棒状であるか、または後に述べるような実に色々で適切な横断面を持つ。細長い部材は絶縁体または伝導体から形成され、そして、伝導材から形成された場合、アース導線として働き、保護されていないケーブルは応用例として許される。
【００１６】
一般的に、各々の導線セットは、伝導通路と称する物を形作る。一般的に、使用導線は絶縁され、横断面は必要により変更でき、表皮効果が生じることのない最適の伝導率を与えるように選ばれ、それにより効果をさらに増やしている。データの様な若干の応用例に関し、各々の導線セットは両方向のデータの通過を許すことができる。
一つの実施例において、細長い部材は通路を持ち、その通路は 第1の導線セットを収容し、第２の導線セットはその部材の外側に沿って走るように配置される。
【００１７】
一つの実施例において、第２の導線セットは、細長い部材に巻きつけられるかまたは細長い部材に沿って真っ直ぐ走るように供給される。一つの配置において、第２の導線セットは第１の導線セットより高い固有抵抗を持ち、それぞれの導線セット間のねじれの程度は異なる。一緒にねじれた導線のペアから成る導線セットを供給する原理は、'釣合の取れた'線を作ることである。ツイストペアは、放射を減らして、ピックアップ・ノイズを低くし、有効ノイズ除去特性を作ることが知られている。
これはぴったりと一緒にセットの導線とくっつき合うことによって、例えば、ねじれはねじれペアの通路上のいかなる点でも、最高0（信号強度が同等であるが、力は対向するという事実のため）の信号電圧を与え、例えば、ねじれペアが長さ10メートルであり、2ボルト流れて、もどる場合、そして、たとえば、我々が、信号/電圧源から２メートルの電圧測定器により試験すると全体の数値はゼロである。外部ノイズが２つの導線に存在するときに、作られる力は両方の導線（同等であるが、対向する）に共通であり、特にケーブルの一端に取り付けられる装置の誘導片がある場合、相殺する。
【００１８】
要求されれば、通路は第1の導線セットをその中に置く地点を備えることができる。
【００１９】
導線セットの間隔を１mm以上にする事に加え、各々の導線のねじれねじれ又は巻きの程度はケーブルの性能を改良するために、それぞれのセットの間で変化することができる。たとえば、隣接のセット間の間隔が比較的小さい場合、それぞれの導線のねじれ度または巻き度の違いは増加する、そして、間隔がより大きい場合、必要な違いは減少する。このように、それぞれの導線セットの導線のねじれ度または巻き度の間の変化は、隣接の導線セット間の相対的な間隔により、一般的に決定される。
【００２０】
導線セットのうちの1つが細長い部材に巻きつけられるときに、ケーブルの長さとしては、まっすぐよりむしろケーブルに巻きついた時、その導線セットは、他の導線セットより一般的に長い。
一般的に、その導線セットは長さの増加により、他の導線セットより高い固有抵抗を持つ。
あるいは、内部の導線セットは外部の導線セットよりきついねじれ密度を持てば、それによって長さの違いを減らすかまたは排除する。それぞれの導線セット間の長さの違いは、異なる伝達周波数のためのおよび電流/電圧を掛けるための分離機として働く。
【００２１】
本発明の更なる態様において、２つの位置間のデータ転送のためにデータケーブルは供給され、そのケーブルは少なくとも２つの導線セットに選択し、まとめられる一連の導線から成り、そして、その各々のセットはお互いにねじられるか、又は巻かれる少なくとも２つの導線を有し、各々のセットは細長い部材によって間隔を置かれ、そして、その導線セットはケーブルに沿って実質的にまっすぐに走るために配置される。
【００２２】
一般的に、上述の少なくとも２つの導線セットは、寝かされずにケーブルに沿って走る様に配置される。
【００２３】
一つの実施例において、少なくとも一つの導線セットはそれに沿って、通過するために細長い部材に取り付けられ、そして、一つ以上の導線セットは細長い部材の外部表面に配置される。
【００２４】
一つの実施例において、ケーブルは４つのセットから成り、各々のセットはねじられるか巻かれる少なくとも二つの導線よりなり、各々のセットは最小１mm間隔で置かれるが、2mm以上が好ましい。
一つの実施例において、ケーブル横断面は実質的に円であり、導線セットは隣接のセットの間で、実質的に90度離れて間隔を置かれる。それ以外の導線セットが供給される場合、角の間隔は360度を導線セットの数によって分割する。
【００２５】
一実施例において、導線セットは細長い部材の通路の内側に寝かされる様に配列され、そこの内側壁面に隣接している。あるいは、導線セットは細長い部材の外側上に離れて間隔を置かれ、さらに又、導線セットはその長い部材の壁の中に位置する。
【００２６】
どの実施例でも、導線の各々のセットにおいて、ねじられた導線セットを形成するために導線はお互いに捻られ/巻かれることが、認識される。実際、その応用例に従い、各々の導線のねじれ度は特定のきつさであり、ねじれ度を減少させる事により導線の長さを減少させ、それにより費用を減少させるように、ケーブルの効率をそこなうことなしに、できるだけゆったりとさせる。それは又、多くの実施例のケースであり、導線セットおよび細長い部材は、従来のケーブルと同じ方法で損傷から保護するための外部囲い板または適切なハウジングの中に収容される。
【００２７】
一般的に、各々の導線セットは１mm以上離れて置かれ、および／又はそれぞれのねじれのきつさは、例えばセットPR1=4 twists/cm, セットPR2=3 twists/cm, セット PR3=2 twists/cmのように又は応用例により、いちばん効果的に互い違いにされる。このように、間隔が増せば、ねじれの差は減り、間隔が減れば、相対的なねじれの差は増加する。これは、混線を減らし、性能を向上される。
【００２８】
一般的に、各々の導線は絶縁体によって他から絶縁され、そして、ケーブルは絶縁体の外側ハウジング含む。
【００２９】
一般的に、ケーブルは細長い部材を含み、その部材はその上に又は、その中に複数の導線セットを所有し、その導線セットは通過するために間隔を置き供給されおよび／又は、隣接の導線間の１mm以上である間隔を有する細長い部材の中に置かれる。
【００３０】
一つの実施例において、細長い部材は管状であり、その導線セットは管壁の内側または外側の組合せで、および／又はその壁自体の中に寝かされる。
【００３１】
一つの実施例において、導線セットは、各々および／または細長い部材に巻きつけられる。他の好適な実施例において、各々の導線セットの縦軸は、細長い部材の縦軸と実質的に平行して走る。
【００３２】
さらにケーブルの性能を向上することを必要とする場合、各々のセットの導線のねじれまたは巻きの程度は、それぞれの導線セット間の間隔が減らされる時に、違いの増加を有する他の導線セットのそれに従い変化する。
【００３３】
好ましくは、ペア間の距離は受け入れられる範囲で、ケーブルの横断面が十分に大きい場合、各々のねじられた導線セットはケーブルに沿って転送されるデータの伝達遅れ時間を最小にするか、又は実際に相殺し、同じ密度で供給される。
【００３４】
好ましくは、各々のねじられた導線のセットは、ケーブルに沿って転送されるデータのいかなる伝達遅れ時間を最小にするために同じ密度で供給される。
【００３５】
一つの実施例において、少なくとも一つの導線セットは、ケーブルの縦軸と実質的に平行した細長い部材通路に沿って通過する。好ましくは、各々の導線セットは、ケーブルの縦軸と平行に走る。あるいは、導線セットのうちの1つ以上は、実質的につる巻状通路で細長い部材に巻きつけられる。
【００３６】
導線セットは細長い部材に沿って寝かされるか螺旋状通路を持つよりむしろ真っ直ぐに走る方が良く、ケーブルを形成するために用いられる導線材料の長さを減らし、それゆえに、同等の性能に影響を及ぼさずに、ケーブルの生産費用をそして、売値を減らす。
【００３７】
一つの実施例において、細長い部材の通路又は間隔は、それに沿って、例えばメイン供給のようなサービスを運ぶ。
【００３８】
本発明の更なる態様では、ここの中にケーブルの種類の用途にプラグが記載されていて、そのプラグはソケット内に配置されるボデーを有し、そしてその中に、そのプラグは間隔を置かれた複数の導線セットの連結のための受入装置を有し、その受入装置は、プラグ本体の上に離れた間隔で置かれる。
【００３９】
一般的に、導線セット受入装置間の間隔は少なくとも１mmであり、プラグ本体が円形断面である場合、受入装置は360°を導線の数で割られることにより与えられる。
【００４０】
好ましくは、導線セットのための受入装置は、導線セットからプラグが嵌入され、信号の連結と伝達を許す金属接点に接続される。
【００４１】
一つの実施例において、プラグ本体は実質的に横断面が円形であるか、実質的に形が平らである。
【００４２】
本発明の更なる態様において、ソケットはこの中に記載されている種類のケーブルの用途で供給され、そのソケットプラグの受入のための孔を有し、その中で、そのソケットは間隔を置かれた複数の導線セットの連結のための受入装置を有する。そして、その受入装置がソケット孔で間隔を離れて置かれる。
【００４３】
一つの実施例において、導線セット受入装置間の角度は360°を導線セット受入装置の数によって分割され供給される。
【００４４】
一つの実施例において、導線セットのための受入装置は、接続され、導線セットからソケット孔に嵌入され、信号の伝達を許す金属接点に接続される。
【００４５】
一つの実施例において、ソケット孔は横断面が実質的に円形であるか、実質的に平らなすり割り状である。
【００４６】
各々のプラグとソケット本体の正しい位置を確かにするためのロケータに沿う実質的に円筒状のプラグおよびソケット本体が与えられるのがより良いが、他の形プラグおよびソケット本体がそれぞれの導線セットの間隔を維持する限り、使われてもよい。例えば、使用するプラグおよびソケット形が正方形、長円形、矩形、長方形、六角形のいずれでも又はいかなる選択でもよい。
【００４７】
一つの実施例において、ケーブルは実質的に同じものと整列してプラグまたはソケット本体により位置する。あるいは、ソケットまたはプラグ本体は、ケーブルの縦軸方向に対して90°で取り付けられてもよい。
【００４８】
どの実施例においても、保護ケーブルが必要な場合、金属で編まれたスリーブは、導線セットや個々の導線セット、又は伝達線の上を通過しても良い。ケーブルを保護することは、外部Ｒ.Ｆノイズを減らすことができて、機械的強さを増やす。
【００４９】
この中に述べられている各々の導線は、一つのその導線を形成するために巻かれた一連の針金より成る。
【００５０】
一般的に、セット中のお互い、他の導線まわりのねじれの緊張度は、そのセットで定まっている。
一つの実施例として、ねじれの緊張度は、セットによりステップ傾向で変わり、最初のセットは一番きつく、最後は一番ゆるい。
【００５１】
特に記載されているようなプラグおよびソケットによって利用される上記の導線セットの配列は、より大きなバンド幅、より少ない雑音、減少した誘導、キャパシタンス、抵抗およびより大きな減衰雑音比を許すことが分かった。それは音声またはビデオ再生成分の、そして、電源から各々までの歪みを減らす。
同様に、例えば、高速データネットワークハブに接続するデータ転送使用時に、有効性が発見された。本発明の更なる態様にて接続用ケーブルが供給され、そのケーブルは、この中に記載されている実施例に従って整列される一連の導線セットから成り、そして、各々のケーブルの端で、この中に記載されているような実施例に従うプラグまたはソケットを持つ。
【００５２】
一般的に、ケーブルがハイファイコンポの様な、左右のそして入力、出力のコネクターに接続される場合、質を向上させるために二つの別々のケーブルを供給することにより、達成されるかもしれない。あるいは、2つのケーブルは1つの外被に配置されることができる、しかし、わずかな質の低減は起こる。
【００５３】
本発明の更なる態様の一連の導線セットを含むケーブルを形成する方法が供給され、各々のセットはお互いにねじられて/巻かれたセットを形成する少なくとも２つの導線を含んでおり、そして、各々のセットのねじれ／巻きの比率の度合いは他の各々のセットのねじれ比に比較される。
それらが、ケーブルに走るときにセット間に間隔を取ることが要求され、そして、この比較を基礎として、各々の導線セットの導線のねじれ/巻き比率の度合いは、ケーブルの性能の向上を必要とする場合、他の導線セットに従い変化する。
【００５４】
実施例において、ねじれ/巻き度合いの比率の差は、隣接の間隔を置かれた導線セットを通り、次第に増加する。導線セット間の必要間隔が減少する時に、ねじれ/巻きの程度の変化のレベルは増加する。
【００５５】
細長い部材のおよび／または外側のハウジングの絶縁体は応用例により特定され、そして、専門材料を含むいかなる絶縁体も使われる。更に、全体のケーブルに配置される編まれた形状のシールドや箔や又はスリーブは外部RF相互干渉を減らして、機械的強さを増加するために作用する。
【発明の効果】
【００５６】
この発明に関するケーブルは、質を向上させ、干渉を低くし、処理能力／バンド幅を向上させる意味でデータ転送を向上させ、商品として同様なものを見込まれる購入者に対して、性能を向上させたより商業的に魅力のある物として供給される。
【００５７】
この発明に伴い、ケーブルの中の導線と同様な導線の寸法及び／又は導線形状の形成により、
本発明のケーブルは、歪みおよび相互干渉を減らして、従って、装置間のデータ信号劣化を減らし、交流、直流、アナログかデジタルフォーマットのどれかの電気信号の伝達と伝達効率を高めるため、そして高速データ伝達を達成するため、試験で発見された。
【００５８】
本発明はデータ伝達媒体を生産するためのケーブル及びケーブル内の導線の改善に関し、それらは電気製品と製品への関連供給間のオーディオ、ビデオ、データ信号および／または電力の伝達に効果的である。
【００５９】
ここに、本発明の特定の実施例を、添付の図面に参照により記載する。
【発明を実施するための最良の形態】
【００６０】
最初に、図１Ａに、第１実施例の導線がある。これは、本実施例において、構成要素6の長手方向に沿って、ら旋状に巻かれる導線4にまっすぐである絶縁する細長い構成要素6に巻きつけられる導線4から成る。本実施例において、細長い構成要素は絶縁材料より構成され、従って絶縁物として働くが、それは同じものが絶縁された導線材料から構成されたかどうかで評価され、従って、確かな例として、必要な場合、アース線として働く。いずれにせよ、これは本発明による伝導通路または導線セットの1つの形式を示す。巻きの密度/頻度は、特定の性能件に合わせるために変化することができる。
【００６１】
図１Ｂは、導線4が導線セットを形成するために細長い構成要素6と連動してねじられる他の配列を示す。
【００６２】
ここで図２Ａおよび図２Ｂに、オーディオ、ビデオおよび主な供給のため、これだけに限らないが、使われる本発明の一実施例に従う相互接続ケーブルは示される。細長い構成要素105があり、そして、その構成要素に沿って、第1の導線104が巻かれ、図１Ａのそれと同様の巻き方で示される導線セット107により第1の伝導通路を形づくる。伝導通路107は、絶縁体の管106内に置かれる。管106の外壁のまわりに、この例では、図１Ａに示される実施例に従い形成された伝動コア108は巻かれる。
このように、絶縁チューブ106は物理的にケーブルの2つの伝動コア107,108を切り離すために作用する。
その上、2つの導線が違った方法でそれらのそれぞれの細長い構成要素に巻きつけられることが好ましいがそれに限定しない。例えば、それぞれ導線104は時計回りに、導線コア108は逆時計回りに巻く。これは、各々の導線から作られるいかなる干渉は他の導線から導かれ、それによりクロス干渉の危険性を減少させることを確実にする。さらに、隙間が2つのそれぞれの導線の間で異なることが好ましい。それにより、導線巻き間のクロス干渉の危険性をより再び最小にしている。
【００６３】
図２Ｂは線Ａ−Ａに沿う断面において、図２Ａの相互接続ケーブルの構成部分の配列を示す。
【００６４】
各々のセットの導線の巻き方またはねじれの角度又は割合は、特定のエリアの最適性能を与えるために変化することができる、そして、ケーブルがより大きい電流を運ぶことが必要である場合、付加導線が使われ、巻きつけられる。図２Ａに示される大径チューブの使用は導線のうちの1つが内側を通り抜け引っ張られ、外壁沿いに巻かれる他によってまわりにねじられ、図２Ａに示すような二本の導線の方向の定常変化は、二本の導線間の磁気作用を効果的に減少させ、それにより同じ物の上に働く干渉作用を減少させることによって信号伝達の質を向上させる。
【００６５】
図３Ａから図３Ｃにケーブル109を示すが、音声、ビデオおよび高電流の応用例に限らない。導線通路110,112は導線セットより形成され、各々一緒にねじられるか又は巻かれる2本の導線/絶縁物を含む。
一実施例として、各々のセットの導線のねじれの角度は、お互いに密度または割合によって変化する。しかしこの場合、導線通路110,112は、同じねじれ角度の導線を有する。導線通路は応用例に拠るが、少なくとも一つの電流運搬導線（以下ccc）を運ぶ。２つのcccが必要な場合、細長い構成要素により、時計回りか反時計回りのどちらかで一緒にねじられるよりはむしろ、絶縁チューブに巻きつけられるcccを持つことが、好ましいかもしれない。
一般的に、図３Ａから図３Ｃに示すような配列は、応用例の中で２つのcccがセット中にある一つの電流運搬ケーブルを構成しているが、全ての４つの導線はcccセット、すなわち正や負の直流や位相や中立の交流の応用例を形成している。いかなる配列においても、信号は時間について離散的でありえるか相似性でありえる。図３Ｂ中で、外側の導線通路112が細長い部材114の外側に取り付けられ、外側のハウジング（図示せず）によって囲まれる。図３Ｃにおいて、外側の導線通路112は外側ハウジングおよび細長い部材として作用するハウジング116で囲まれる。両方の実施例において、アース線118は組み入れられる。
【００６６】
図４Ａから図５Ｂに示したのは、データ伝送のために必要な4つの伝導通路の配列である。この配列において、全ての8つの導線は導線セット120,122、124,126によって形づくられる4つの導線通路の形で与えられ、各々は情報を処理し、受信する。
【００６７】
ここで、伝導通路は、図４Ａとして配列される電流運搬導線である。導線のねじれは、一般にその密度または角度を変化させることができる。"内側"導線通路120は、導線間で最もきついねじれ角度を持ち、他の導線通路は次第に密度が少なくなるねじれ比を有する。3つの導線通路122,124、126は、128の周りに螺旋状に巻かれ、120のためのハウジングとして、そして、他のセットが軌道を描く為の’形成物’として働く。一般的に、各々の外に配置されたセットは、これに限らないが、図４Ｂの断面図のようにお互い120度で配置されている。それより多いまたは少ない伝導通路が要求される場合、それらがお互いに等しい距離で配置されることが好まれる。
【００６８】
図５Ａから図５Ｃに、導線セット130より形成される内側の導線通路が、細長い部材134内で支持部材132によりいかに配置されかを示している。これは図５Ｂの様に細長い部材の内側に、そして、図５Ｂ及び図５Ｃの様にそれに沿って形成される導線セット135、136により、ケーブルが二つ以上の伝導通路を収容させることもできる。図５Ｄから図５Ｆは、3つのそれ以外のケーブルの実施例を示しており、細長い部材137がケーブルの使用、および／または導線パラメーターのために、特定の要求を満たす形状の仕方を示す。たとえば、図５Ｄは十字架形の断面にて、十字架のアーム141の各々の端に位置した導線セット139の、そしてこの場合、各々の導線セット139で様々な導線ねじれ角度を持つ細長い部材を示す。
図５Ｅは、、中央通路143および各々のコーナーにある導線セット147を有する細長い部材137を示す。
図５Ｆは、アームの頂点とそれぞれのアームの端に置かれた導線ペアを持つ３つのアーム145を所有する細長い部材137を示す。
【００６９】
それぞれの場合、ケーブルが４つの導線セットを含むこと、そして、これに制限されないが、４つの導線セットを使用するときに、記載されている実施例が特定の使用であるとわかる。
【００７０】
図６および７に、一般的にその参照を容易にするために除かれた絶縁物と、防御として働く外側のハウジングを持ったケーブル202の全長をしめす。しかし、一つの実施例において、導線セット外側のハウジングの必要がないためにコアの壁に取付けられる。このケーブルの実施例は、特に限定されないが、データ伝達関連に使用される。取りはずされた外側の絶縁部に加え、ケーブル202の全長は細長いチューブの形のコア204と４つの導線セット206,208,210,212から成る。
【００７１】
各々のセット206,208,210,212は、参照を容易にするために、導線セット206に関して示される２つの導線214,216から成る。セットの各々の導線は、図６にて示したように、ねじられた形状にするためにその他のまわりに巻かれる。使用されるねじれ角度は各々のセット206、208、210、212と同じか、または、各々のケース以外にも、必要に応じて変化することができる。そして、動作に影響を与えずに、達成される角度が小さいければ小さいほど、又はねじれが緩ければ緩いほど、材料の使用、長さ、減衰量を減らすので良く、それゆえに意図された行き先に信号が到達する伝達速度を高める。
各々の導線セット206,208,210,212は、コアの縦軸に平行した平面の導線コア204に沿って、線形通路で与えられる。導線セットがコアに巻きつけられる場合のそれが使用する材料と比較して、使用する材料を減らすような線形通路が好まれる。コア204は図８のように、フレキシブル又は堅固な絶縁体と内部ポート218より形成され、ケーブル202に沿って走り、この実施例として、電源220のような、それ以外のサービスを運ぶために用いられる。
【００７２】
それは、チューブの厚さに従い、最小1mm、できれば２mm以上の距離をさまざまな導線セットと他のサービスから置いておく事が好まれる。この距離が維持できない場合、コアの内面に固定した位置にあるケーブル220を維持するために、コアの内面によって出会う一連のアームを有するスペーサ配列222によって、供給電力220はポート218内で間隔を置き保たれる。
【００７３】
ポート218がそれ以外のサービスのために使われる必要はないと認められなければならず、その代わりに、それ以上のケーブル剛性が必要な場合、コアの内部はケーブルの剛性を向上するために他の材料で満たされ、および／または備えていてもよい。
【００７４】
それ以外のより好適な実施例において、導線セット206,208,210,212は、コア204の外部表面に供給されず、このそれ以外の実施例のケーブルの端面図を供給する図８にて示したように、コア壁面に一体化した部品としてむしろ与えられる。この配列で、各々のセット中の導線が図６のようにねじられてもよく、各々のセットが、コア204の外側に寝かせるよりはむしろ導線セットはコア壁面と一体化して供給されるという例外を持ち、図６と同様な通路に沿う。
【００７５】
さらに、コアの内部のポート218が、図７に示されたのと同様な方法で使われてもよい。
この配列の効果はコアのまわりの外側の絶縁部224が必要でないという事であり、コアの外部面上に導線セットを供給するために、完成品はでこぼこでなく、それがただコアの上に横たわる時に、むしろ比較的滑らかの方が良い。実に、また絶縁部の外側の層が必要でないことは可能であり、それに更なる経費削減になる。
【００７６】
この中に記述されているタイプのデータ伝送ケーブルのために、混線が最小限である事は重要であり、これをなし遂げるために、導線セットは１mmまたは、好ましくは、各々のセットの導線のねじれ密度を十分に多様にするために２mm間隔に保たれなければならない。
一般的に、各々のセットの導線のねじれ比が同じである場合、セットはさらに間隔を置かれ離される事を必要とするかもしれない。セット間のねじれ比の差が増加すれば、セットはお互いに近づき、少なくともある距離で、最適な性能を与えるために、ねじれ比の違い値とセットを接近させ一緒に配置される事ができるかはリンクしている。
このように、他の本発明の特徴は一連の導線セットを所有するケーブルを含んでおり、各々のそのセットはセットを形成するため、お互いにねじられる/巻かれる少なくとも2つの導線を含んでおり、各々のねじれ比は他のセットのねじれ比に比較されると共に、ケーブル中のそのセット間に間隔を置くことを求められ、そしてこの比較に基づき、それぞれのセットのねじれ比はケーブルの性能を向上させるために変化する。ケーブルが断面の形について言えば、導線セット間の間隔は９０°であり、もし、例えば二つの向かい合うセットが４本の導線セットケーブルの中のその他の二つの向かい合う導線セットよりきつい導線ねじれ率により供給されれば、要求する間隔を減少させる事により断面積の減少が達成させられる。空気が一般的に最高の絶縁体であるように、導線セットが異なる密度においてねじられて、指定された距離で離れて配置される場合、混線は最小限になる。各々の導線セットのねじれ密度の比率およびセットの間隔は、ケーブルの質による。
【００７７】
図９および図１０は本発明のさらに他の実施例を示し、本実施例において、相対してチューブ状であるコア304よりも、ケーブル302の全長に沿うコアは平らである。この配列において、各々の導線は306、308、310、312はコア304の縦軸に平行な直線的な通路で再び表され、直線的に、離れて置かれる。コアは必要な距離1mmまたは好ましくは２mm以上であり、導線セットに関する次元により決定されることが賞賛される。それは導線セット306に関して、どのように各々のセット中で導線が再びねじられかを示している。一般的に、比較的細く、容易に適合するケーブルは本発明の本実施例に従って形づくられ、導線セットはコアの中に埋め込まれる。
【００７８】
図１１Ａから図１１Ｄに、ソケット404に示されないが適合用溝内に位置するロケータキー組立てを持つプラグ402およびソケット404から成るプラグおよびソケット配列の一実施例を示す。
各々のプラグとソケット配列において、導線セット416、418、420、422の間にそれぞれ９０°間隔を置かれることを要求される408,410、412および414に位置する４個の導線セットがある。408から414に対する各々の導線位置は、電気接点424を備えている。同じ物（プラグ本体）がソケットに挿入され、金属接点424がソケット本体の内側の表面にある固定接点426に適合した場合、プラグ本体の外面から突き出るようにプラグの中に接点424にばねが取付けられる。このように、ソケットへのプラグの挿入により、導線セット416から422までの連結は、428から434までの導線セットによってなし遂げられる。図１１Ｂは、複数の導線ケーブルの結合をする図１１Ａの中に見られるタイプのプラグの挿入のために複数のソケット438を持つパッチパネル436を示す。図１１Ｃに、接点424の間隔がそれに連結される導線セットの間隔のとり方を示す。
一般的に、特定の間隔はプラグやソケットの置かれる導線セットの数により、四本導線セットがあれば360°を4で割った90°に置かれ、五本の導線セットがあれば72°に置かれ、以下同様である。
しかし、プラグとソケットの配列の中の導線セット間は２mmが好ましいが常に最低１mm間隔を置かれることが認識される。
【００７９】
図１１Ａに、ケーブルの縦軸がプラグまたはソケットの縦軸を持つ直線内にある直線状でそれぞれプラグとソケットが位置しているケーブル436および438を示す。
図１１Ｂは、それらがそれぞれの接点424に接続するまで、ケーブル440の縦軸がプラグ本体の回りに包まれている導線セットを有するプラグ442の縦軸に対し、垂直である代替配列を示す。
【００８０】
図１２Ａから図１２Ｄにプラグおよびソケット配列の別の実施例を示し、図１１Ａから 図１１Ｄまたは図１２Ａから図１２Ｄまでのどれかが前の図について述べたられたように、平らなケーブルまたは円形のケーブル配列と連動して使われる事が認められる。
【００８１】
図１２Ａから図１２Ｄに、比較的平らなプラグ450および比較的平らなソケット452が示されている。
ソケットは矢印454で示したようにプラグを受け入れる破線で示した開口部を備えている。
ソケット452にプラグ450を配置接続した時、接点456はソケットの後ろで取付く接点458と接触し、接点456が導線セット460,462, 464,466にそれぞれ位置するように、プラグとケーブルかソケットの後ろ側で他のデータ運搬装置に接続するケーブル468の間で接触する。図１２Ｄは、図１２Ａに示したように各々のプラグ450の場所を供給する複数のソケット470のパッチ盤を示す。
図１３Ａと図１３Ｂに、壁面内に形成される開口部に取り付けられる背面の突起474を持つ壁の上に位置する表面取り付けパネル472を示す。この表面の取り付けプレートは、図１１Ａから図１１Ｄに示される種類のプラグに入るソケット配列476を含むが、示されたソケットに取り付けられ、接点478にて接触し挿入される。また、ばねが装てんされるダストカバー480が供給され、それはプラグがソケットに挿入するために上げられる。
【００８２】
図１４Ａに、前面のソケットが図１１Ａから図１１Ｄに示される種類の比較的平らなソケット配列の位置に整列される例外を有する、図１３Ａおよび図１３Ｂの同様の配列を示す。この場合、ソケット482が直線的に間隔を置かれた接点484により供給される。後面パネル486は、壁の後で又、別のケーブルに連結する。
【００８３】
図１３Ａおよび図９Ｂは、いかにソケット490の外部面が第1の種類のソケット配列492を備えているかを示し、しかし、後面494でソケットはプラグにまたはそのような代替のケーブル配列に繋がれ、そしてこの場合、比較的円形のソケットが外部面490に与えられ、そして、比較的平らなソケットまたはプラグ496は特定のケーブルの要求に合う様に後部面に供給される。この配列が特定の必要条件を満たすために逆にできる事は、また、認められなければならない。
【００８４】
図１６Ａから図１６Ｆは、従来の最も有効なケーブルに対し、はるかに優れて、本発明によるケーブルがどのように機能するかについて説明する。各々の図は周波数が増加する時の、漏話（cross  talk）分析のグラフを示す。図１６Ａは、聴音マイクロ試験測定器（Microtest  Diagnostics  analyser）による分析結果で、ケーブルがない場合の結果を示す。
【００８５】
図１６Ｂおよび図１６Ｃは、50メートルの従来の有効カテゴリー6のケーブルが近いおよび最遠の端部で試験され得られた結果を明らかにする。そして、その軌跡から明らかなのは図１６Ａの軌跡に関してかなり劣等な比較であるということであり、すなわち、従来のケーブルにおいて試験される混線である。
【００８６】
図１６Ｄおよび図１６Ｅは、特定の要求に合う、４つの導線セットを有する円形の横断面積部分を持つ、図６において示される実施例の本発明に従って形成される50ｍのケーブルに動作される同じ試験の結果を示し、それは第１のセットは８mmのねじれ比または密度を有し、すなわち、全長８mmで捩れを完成させ、第２のセットは10mmのねじれ比または密度を有し、第３のセットは12mmのねじれ比または密度を有し、および第４のセットは14mmのねじれ比または密度を有する。
図１６Ａの参照軌跡と比較するとほとんどケーブルの性能は劣化しないことは明らかである。すなわち少しの混線の影響もない。このように、図１６Ｂおよび図１６Ｃのグラフを比較すれば、本発明に従ったケーブルを使用し、明らかに向上した結果が得られることを示す。この有益な結果を強調するために、図１６Ｆは図６の150メートル以上のケーブルで実行された結果を示す。
【００８７】
したがって、この発明によるケーブルが最も現在、有効なケーブルのうちの1つよりはるかに良い動作特性を享受できることは明白であり、そして、さらに、図１６Ａの参照軌跡に近い結果を提供する。
【００８８】
材料（質および純度）だけでなく、絶縁材料は設計の性能に影響する。低酸素分含有利用の低速の押出工法によって製造される物質の導線の場合、高純度の材料がより早い押出し、より高い酸素含有、より低い純度の物質に比べよく機能される。横断面の中に、円の、正方形の、三角形のその他、全ての材料、種類、形およびサイズが使われる。
【００８９】
ケーブルが高電流そして／または高電圧の適用のために使われる場合、ケーブルの横断面が「表皮効果」が電力損失の問題になる信号ケーブルのそれより大きく増加する。ケーブルを形成する配列の中で二つ以上の導線を使用する考えは現在の一つの核のタイプよりこの影響を減少させる。
【００９０】
上記説明は、従って、ケーブルの包括的な幾何学的形状に関して、現在の特許出願の基礎を示す。
また、選定される材料の種類および純度が重要な要素であることが知られ、そして、選定される絶縁材料は特定の必要および要求に合い、同様に、ケーブルを電気設備に接続するための接点プラグは特定の装置およびケーブルの使用に合様に供給される。
【００９１】
そのケーブルの使用が、非常に干渉を、したがって、電気成分の信号損失を減少させ、ケーブルの導線間で生じられる歪みを減らすことが分かっている。
図面は単一の導線ケーブルを示しているが、複数の導線ケーブルは必要により、好ましくは本発明に全く従い、倍数の導線ケーブルを使用する事により形成されることが認められなければならない。
【００９２】
最後に、アナログ、デジタル、ＡＣまたはＤＣ、そして、全ての使用範囲で、いかなる電気信号の伝達に使用される場合にもここに記載されている本発明は、効果があること認められなければならない。
【図面の簡単な説明】
【００９３】
【図１Ａ】導線を形成する管状、又はアース線の細長い部材で供給される一つの核を有する本発明の実施例を示す図。
【図１Ｂ】導線を形成する管状、又はアース線の細長い部材で供給される一つの核を有する本発明の実施例を示す図。
【図２Ａ】２つの導線および１つの管および／またはアース線の配列を示す図。
【図２Ｂ】２つの導線および1つの管および／またはアース線の配列を示す図。
【図３Ａ】本発明の別の実施例を示す図。
【図３Ｂ】本発明の別の実施例を示す図。
【図３Ｃ】本発明の別の実施例を示す図。
【図４Ａ】本発明のケーブルの更なる実施例を示す図。
【図４Ｂ】本発明のケーブルの更なる実施例を示す図。
【図５Ａ】いくつかの実施例のケーブルの断面図。
【図５Ｂ】いくつかの実施例のケーブルの断面図。
【図５Ｃ】いくつかの実施例のケーブルの断面図。
【図５Ｄ】いくつかの実施例のケーブルの断面図。
【図５Ｅ】いくつかの実施例のケーブルの断面図。
【図５Ｆ】いくつかの実施例のケーブルの断面図。
【図６】本発明の別の実施例に従ったケーブルの正面図。
【図７】線Ａ−Ａに沿った図６のケーブルの正面断面図。
【図８】本発明の別の実施例に従うケーブルの端面図。
【図９】本発明の別の実施例に従うケーブルを示す図。
【図１０】線Ｂ−Ｂに沿った図９のケーブルの断面図。
【図１１Ａ】本発明のケーブルを使用した円筒プラグおよびソケット配列の実施例を示す図。
【図１１Ｂ】本発明のケーブルを使用した円筒プラグおよびソケット配列の実施例を示す図。
【図１１Ｃ】本発明のケーブルを使用した円筒プラグおよびソケット配列の実施例を示す図。
【図１１Ｄ】本発明のケーブルを使用した円筒プラグおよびソケット配列の実施例を示す図。
【図１２Ａ】本発明のケーブルを使用した比較的平らなプラグおよびソケット配列の実施例を示す図。
【図１２Ｂ】本発明のケーブルを使用した比較的平らなプラグおよびソケット配列の実施例を示す図。
【図１２Ｃ】本発明のケーブルを使用した比較的平らなプラグおよびソケット配列の実施例を示す図。
【図１２Ｄ】本発明のケーブルを使用した比較的平らなプラグおよびソケット配列の実施例を示す図。
【図１３Ａ】円筒状のソケットとしての表面実装図。
【図１３Ｂ】円筒状のソケットとしての表面実装図。
【図１４Ａ】比較的直線状で平らなソケットとしての表面実装図。
【図１４Ｂ】比較的直線状で平らなソケットとしての表面実装図。
【図１５Ａ】結合された平らな、および／または、円筒状のケーブル表面実装図。
【図１５Ｂ】結合された平らな、および／または、円筒状のケーブル表面実装図。
【図１６Ａ】本発明の一実施例に従ったケーブルにより得られた結果を示す図。
【図１６Ｂ】本発明の一実施例に従ったケーブルにより得られた結果を示す図。
【図１６Ｃ】本発明の一実施例に従ったケーブルにより得られた結果を示す図。
【図１６Ｄ】本発明の一実施例に従ったケーブルにより得られた結果を示す図。
【図１６Ｅ】本発明の一実施例に従ったケーブルにより得られた結果を示す図。
【図１６Ｆ】本発明の一実施例に従ったケーブルにより得られた結果を示す図。
【図Ａ】
2005519432.tif 000003
【図Ｂ】
2005519432.tif 000004
【図１Ａ】
2005519432.tif 000005
【図１Ｂ】
2005519432.tif 000006
【図２Ａ】
2005519432.tif 000007
【図２Ｂ】
2005519432.tif 000008
【図３Ａ】
2005519432.tif 000009
【図４Ａ】
2005519432.tif 000010
【図４Ｂ】
2005519432.tif 000011
【図５Ａ】
2005519432.tif 000012
【図５Ｂ】
2005519432.tif 000013
【図５Ｃ】
2005519432.tif 000014
【図５Ｄ】
2005519432.tif 000015
【図５Ｅ】
2005519432.tif 000016
【図５Ｆ】
2005519432.tif 000017
【図６】
2005519432.tif 000018
【図７】
2005519432.tif 000019
【図８】
2005519432.tif 000020
【図９】
2005519432.tif 000021
【図１６】
2005519432.tif 000022
【図１１Ａ】
2005519432.tif 000023
【図１１Ｂ】
2005519432.tif 000024
【図１１Ｃ】
2005519432.tif 000025
【図１１Ｄ】
2005519432.tif 000026
【図１２Ａ】
2005519432.tif 000027
【図１２Ｃ】
2005519432.tif 000028
【図１２Ｄ】
2005519432.tif 000029
【図１３Ａ】
2005519432.tif 000030
【図１３Ｂ】
2005519432.tif 000031
【図１４Ａ】
2005519432.tif 000032
【図１４Ｂ】
2005519432.tif 000033
【図１５Ａ】
2005519432.tif 000034
【図１５Ｂ】
2005519432.tif 000035
【図１６Ａ】
2005519432.tif 000036
【図１６Ｂ】
2005519432.tif 000037
【図１６Ｃ】
2005519432.tif 000038
【図１６Ｄ】
2005519432.tif 000039
【図１６Ｅ】
2005519432.tif 000040
【図１６Ｆ】
2005519432.tif 000041
【手続補正書】
【提出日】平成15年5月12日(2003.5.12)
【手続補正１】
【補正対象書類名】図面
【補正対象項目名】図Ａ
【補正方法】変更
【補正の内容】
【図Ａ】
2005519432.tif 000042
【手続補正２】
【補正対象書類名】図面
【補正対象項目名】図Ｂ
【補正方法】変更
【補正の内容】
【図Ｂ】
2005519432.tif 000043
【国際調査報告】
2005519432.tif 000044
2005519432.tif 000045
2005519432.tif 000046
2005519432.tif 000047
2005519432.tif 000048